(57)【要約】      （修正有）【課題】形状の調節が可能であり、生け花で使用する花器などとして利用するのに好適であるとともに、その販売時に置いても、シート状態で展示でき、在庫として保管する際は非常に小さな収容スペースですむため店側のコストの低減が可能となる軽量の組み立て式鉢体を提供する。【解決手段】可撓性シートと、該シートの縁の近傍において、このシートを鉢体の形状に手作業で変形した際に、その変形状態を固定する係止部材とからなる。【選択図】図２
2013052045.tif 000002
【特許請求の範囲】
【請求項１】
可撓性シートと、前記シートの縁の近傍において、このシートを鉢体の形状に手作業で変形した際に、その変形状態を固定する係止部材とからなることを特徴とする組み立て式鉢体。
【請求項２】
前記可撓性シートは矩形のシートであり、四隅近傍に前記係止部材が設けられていることを特徴とする請求項１に記載の組み立て式鉢体。
【請求項３】
前記係止部材は矩形の辺に沿って複数設けられていることを特徴とする請求項２に記載の組み立て式鉢体。
【請求項４】
前記係止部材はボタンフックであることを特徴とする請求項３に記載の組み立て式鉢体。
【請求項５】
前記係止部材は、シートの縁が係止可能な形状となっていることで形成されていることを特徴とする請求項４に記載の組み立て式鉢体。
【請求項６】
前記係止部材は、シートの縁に沿って設けられている複数個の突出部と、この突出部が挿入且つ係止可能な穴部とからなっていることを特徴とする請求項５に記載の組み立て式鉢体。
【請求項７】
前記係止部材は、シートの縁に沿って設けられている複数個の突出部と、隣接する前記突出部の側部によって形成され、前記突出部と係止可能な複数個の開口部とからなっていることを特徴とする請求項５に記載の組み立て式鉢体。
【請求項８】
前記係止部材は、前記シートを鉢体の形状に変形した際に、前記可撓性シートの四隅近傍に設けられた穴に通して、その変形状態を固定する紐状の部材であることを特徴とする請求項２に記載の組み立て式鉢体。
【請求項９】
前記係止部材は、前記可撓性シートの四隅近傍に設けられた穴に係止するフックであることを特徴とする請求項２に記載の組み立て式鉢体。
【請求項１０】
前記可撓性シートは円形のシートであり、円周に沿って前記係止部材が設けられていることを特徴とする請求項１に記載の組み立て式鉢体。
【請求項１１】
前記係止部材は、シートの縁に沿って設けられている面ファスナーであることを特徴とする請求項１に記載の組み立て式鉢体。
【請求項１２】
前記係止部材は、シートの縁に沿って設けられている複数の紐状部材であることを特徴とする請求項１に記載の組み立て式鉢体。
【発明の詳細な説明】
【技術分野】
【０００１】
本発明は、生け花の花器などに利用可能な組み立て式鉢体に関する。
【背景技術】
【０００２】
生け花は華道とも呼ばれ、さまざまな流派があり、様式・技法は各流派によって異なる。鑑賞に耐える効果的に生けるには、一定の技術が必要なので生け花教室などが開催されている。また、諸道具への工夫も提案されている（特許文献１）。
【０００３】
実際に、草花を生けるには、根の部分を切りとって剣山などに固定し、水盤のような花器に入れ、花台に載置する。また生けた草花を長持ちさせるために、水盤等の水が常に十分となるように補充する。
【先行技術文献】
【特許文献】
【０００４】
【特許文献１】特開平０５−１２３２３５号公報
【発明の概要】
【発明が解決しようとする課題】
【０００５】
生け花に必要な道具としては、素材を固定する剣山、その剣山を入れ水を張る為の花器、素材を切り揃えるワラビ手鋏などがある。中でも花器は、その材質が陶器などであり特に重量のある道具となっている。一時的に場所を借りて生け花教室を開く場合には、これらの道具を生徒の数だけ用意する必要がある。その輸送や準備にはそれなりの労力と費用がかかっていた。
【０００６】
そこで、本発明の目的は、収容や輸送コストが抑えられる軽量の組み立て式鉢体を提供することである。
【０００７】
本発明の他の目的は、サイズを変えることの可能な組み立て式鉢体を提供することである。
【課題を解決するための手段】
【０００８】
上記課題を解決するために、本発明の組み立て式鉢体は、可撓性シートと、前記シートの縁の近傍において、このシートを鉢体の形状に手作業で変形した際に、その変形状態を固定する係止部材とからなることを特徴とする。このような構成により、非常にコンパクトで軽量の鉢体が実現する。
【０００９】
１つの実施形態では、前記可撓性シートは矩形のシートであり、四隅近傍に前記係止部材が設けられていることを特徴とする。このような構成により、組み立て前の収容や輸送コストが抑えられ、またユーザーによる組み立てが容易となる。
【００１０】
また、別の実施形態では、前記係止部材は矩形の辺に沿って複数設けられていることを特徴とする。前記係止部材の例としては、ボタンフックがある。このような構成により、利用する係止部材を選ぶことで、組み立てる鉢体の形状を変えることができる。
【００１１】
更に、別の実施形態では、前記係止部材は、シートの縁が係止可能な形状となっていることで形成されていることを特徴とする。このような構成により、シートのみで組み立て式鉢体が実現し、製造コストが下げられる。
【００１２】
例えば、前記係止部材は、シートの縁に沿って設けられている複数個の突出部と、この突出部が挿入且つ係止可能な穴部とからなっている。別の例として、前記係止部材は、シートの縁に沿って設けられている複数個の突出部と、隣接する前記突出部の側部によって形成され、前記突出部と係止可能な複数個の開口部とからなっている。
【００１３】
更に、別の実施形態では、前記係止部材は、前記シートを鉢体の形状に変形した際に、前記可撓性シートの四隅近傍に設けられた穴に通して、その変形状態を固定する紐状の部材であることを特徴とする。このような構成により、独特のデザイン性を持った組み立て式鉢体が実現する。
【００１４】
更に、別の実施形態では、前記係止部材は、前記可撓性シートの四隅近傍に設けられた穴に係止するフックであることを特徴とする。このような構成により、組み立ての容易な鉢体が実現する。
【００１５】
更に、別の実施形態では、前記可撓性シートは円形のシートであり、円周に沿って前記係止部材が設けられていることを特徴とする。このような構成により、どの位置でも係止の可能な鉢体が実現する。
【発明の効果】
【００１６】
本発明に係わる組み立て式鉢体は、シート状で運搬、販売、保管が可能であり、その製造コストを非常に小さく抑えることができる。また、多様なデザインが可能で、ユーザーは利用方法を工夫することもできる。
【図面の簡単な説明】
【００１７】
【図１】図１は、本発明の実施例１に係る組み立て式鉢体を説明する平面図である。
【図２】図２は、図１の組み立て式鉢体の組み立て状態を説明する斜視図である。
【図３】図３は、図１の組み立て式鉢体の別の組み立て状態を説明する斜視図である。
【図４】図４は、本発明の実施例１に係る組み立て式鉢体の別の形態を説明する平面図である。
【図５】図５は、図４の組み立て式鉢体の接続部分を説明する斜視図である。
【図６】図６は、本発明の実施例１に係る組み立て式鉢体の更に別の形態を説明する平面図である。
【図７】図７は、図６の組み立て式鉢体の接続部分を説明する斜視図である。
【図８】図８は、本発明の実施例１に係る組み立て式鉢体の更に別の形態を説明する平面図である。
【図９】図９は、本発明の実施例１に係る組み立て式鉢体の更に別の形態を説明する平面図である。
【図１０】図１０は、図９の組み立て式鉢体の組み立て状態を説明する斜視図である。
【図１１】図１１は、図９の組み立て式鉢体の別の実装を説明する平面図である。
【図１２】図１２は、本発明の実施例１に係る組み立て式鉢体の更に別の形態を説明する平面図である。
【図１３】図１３は、図１２の組み立て式鉢体の組み立て状態を説明する斜視図である。
【図１４】図１４は、本発明の実施例２に係る組み立て式鉢体を説明する平面図である。
【図１５】図１５は、図１４の組み立て式鉢体の組み立て状態を説明する斜視図である。
【図１６】図１６は、本発明の実施例２に係る組み立て式鉢体の別の形態を説明する平面図である。
【図１７】図１７は、図１６の組み立て式鉢体の係止部材の斜視図である。
【図１８】図１８は、図１６の組み立て式鉢体の組み立て状態を説明する斜視図である。
【図１９】図１９は、図１４の組み立て式鉢体の変形例を説明する部分平面図である。
【図２０】図２０は、図１６の組み立て式鉢体の変形例を説明する部分平面図である。
【発明を実施するための形態】
【００１８】
以下、添付図面を参照しながら本発明の実施形態による組み立て式鉢体を説明する。この鉢体は、例えば、生け花に使用される花器などとすることができる。特に、生け花教室などで、練習用の水盤として利用すれば重宝する。その他にも、植木鉢を受ける為の皿や、水を張って金魚を入れたりするのにも利用できる。
【００１９】
この鉢体は、ポリウレタンやポリプロビレンといった可撓性を持つ材質からなり、シート状態で販売されている。ユーザーは、このシートを鉢体の形状へ自分で組み立てて使用する。シートは、組み立て後の形が容易には崩れない程度の厚み、例えば０．５〜１．０ｍｍ程度の厚みを有する。
【００２０】
また、このシートは任意の色を持つが、透光性または有色透光性としても良いし、模様や図柄を印刷しておいても良い。白や透明とすれば、ユーザーは好みの模様や図柄を油性マーカーなどで自由に記載することができる。
【実施例１】
【００２１】
この実施例では、矩形の可撓性シートの４つの辺に沿って係止部材が一定間隔で並んで設けられている。そして、隣接する辺の係止部材は互いに係止可能となっている。矩形の例としては、２５ｃｍｘ２５ｃｍの正方形、３０ｃｍｘ２０ｃｍの長方形などがある。
【００２２】
図１の例では、４つの辺に沿ってボタンフック１ｍ、１ｆが一定間隔で並んで設けられている。ここで、図面の上下の辺に沿って雄のフック１ｍが並んで設けられ、左右の辺に沿って雌のフック１ｆが並んで設けられている。
【００２３】
ユーザーは、隣り合っている辺に設けられているボタンフック１ｍ、１ｆを係止することで、シートを鉢体の形状へ自分で組み立てることができる。図２に組み立て後の状態の例を示す。ここでは、角に最も近いフックのみを係止しているが、それ以外のフックを係止することでより形状を変えることもできる。例えば、図３のように、角に近い二対を係止すれば、やや深さのある鉢とすることもできる。
【００２４】
また、図４に示したように、矩形の可撓性シートそのものに係止部材４ｍ、４ｈを形成することもできる。この例では、長円状の突出部４ｍと、この突出部４ｍと係合可能な長円状の穴部４ｈが、４つの辺に沿って一定間隔で並んで形成されている。図の上下の辺に沿って突出部４ｍが並んで設けられ、左右の辺に沿って穴部４ｈが設けられている。図５に示したように、突出部４ｍを穴部４ｈへ挿入し係止することができる。
【００２５】
図１ないし図５の例では、雌雄が別の部材となっている。しかし、図６で示されるように雌雄が一体的となった係止部材６ｍ、６ｐを形成することもできる。この例では、突出部６ｍの根元が開口部６ｐとなっている。つまり、隣接する突出部６ｍの側部によって開口部６ｐが形成されている。そして、図７に示したように、突出部６ｍを開口部６ｐへ挿入し係止することができる。
【００２６】
また、図９に示したように、矩形の可撓性シートの縁に沿って並べて植設された紐を係止部材としてもよい。隣接した辺に植設された紐９ｓ同士を適宜結ぶことで、色々な形の鉢体とすることができる。図１０に組立後の一例を示す。この例では、紐は鉢体の内側に位置しているが、外側に位置するようにして結ぶことも可能である。
【００２７】
更に、図１１に示したように、可撓性シートの縁部を櫛歯状にカットすることで、可撓性シート自体に紐状の係止部材を形成するようにしても良い。この紐状部分１１ｓを任意に結ぶことで、やはり色々な形の鉢体とすることができる。
【００２８】
更に、図１２に示したように、矩形の可撓性シートの縁に沿ってマジックテープ（登録商標）のような面ファスナー１２ｍ、１２ｆを設けても良い。面ファスナー材には、雄タイプ１２ｍと雌タイプ１２ｆがあるが、ここでは隣接する辺に異なるタイプの面ファスナー材が設けられている。これらを、図１３に示したように、矩形の角部を摘むようにして雄タイプ１２ｍと雌タイプ１２ｆを接続し、鉢体とすることができる。
【００２９】
なお、上記実施例では、矩形の可撓性シートとなっているが、矩形に限定されるものではなく、三角形や五角形でも構わない。または、円形のシートとすることも可能である。図６や図７に示した例を、円形のシートに応用した場合を図８に示す。
【実施例２】
【００３０】
実施例１では、可撓性シートの縁部に沿って係止部材が一定間隔で並んで設けられている。実施例２では、図１４に示したように、矩形の可撓性シートの４隅に一対の穴が設けられている。ここに、図１５に示したように、紐１４ｃを通して結ぶことで鉢体の形状とする。この場合、矩形の可撓性シートには、図１４で点線１４ｎで示したような折り目が付けられていると、組み立てを楽に行うことができる。
【００３１】
また、図１６に示したように、四隅に短いスリット状の開口部１６ｈを一対づつ設け、図１７に示したような断面がコの字状のフック１６ｋを、この一対の開口部１６ｈに引っ掛けることによって鉢体の形状とすることもできる。このようにして組み立てた鉢体は、例えば、図１８のような外観を持つ。やはり、矩形の可撓性シートには、図１６で点線１６ｎで示したような折り目が付けられていると、組み立てを楽に行うことができる。
【００３２】
以上、本発明を実施例により詳細に説明したが、当業者にとって、様々な変形例が考えられる。例えば、図１４に示したような４隅の各々に設けられた一対の穴を、図１９に示したように二段にすることもできる。この場合、二本の紐を両方に通したり、または上下のいずれか一方に通すことで、鉢体の深さや外観を変えることができる。勿論、三段またはそれ以上に段数を増やすことも可能である。
【００３３】
同様に、図１４に示したような４隅の各々に設けられたスリット状の開口部を、図２０に示したように二対にすることこともできる。この場合、４隅の各々にフックを２つづつ引っ掛けることもできるし、またはいずれか一方のみを引っ掛けることで、やはり鉢体の深さや外観を変えることができる。勿論、三対またはそれ以上に開口部の数を増やすことも可能である。
【産業上の利用可能性】
【００３４】
以上のように、本発明による組み立て式鉢体によれば、組み立て前の収容や輸送コストが抑えられ、またユーザーによる組み立てが容易となる。そして、組み立てた状態でも、デザイン性に優れているため、鉢やその受け皿として使用すればインテリアとしての植物の本来の目的にも合致している。特に軽量なので、生け花教室などで練習用の鉢として利用するには最適である。
【符号の説明】
【００３５】
１ｍ、１ｆ    ボタンフック
４ｈ    穴部
４ｍ    突出部
６ｍ    突出部
６ｐ    開口部
９ｓ、１１ｓ，１４ｃ    紐
１２ｍ、１２ｆ    面ファスナー
１６ｈ    開口部
１６ｋ    フック
【図１】
2013052045.tif 000003
【図２】
2013052045.tif 000004
【図３】
2013052045.tif 000005
【図４】
2013052045.tif 000006
【図５】
2013052045.tif 000007
【図６】
2013052045.tif 000008
【図７】
2013052045.tif 000009
【図８】
2013052045.tif 000010
【図９】
2013052045.tif 000011
【図１０】
2013052045.tif 000012
【図１１】
2013052045.tif 000013
【図１２】
2013052045.tif 000014
【図１３】
2013052045.tif 000015
【図１４】
2013052045.tif 000016
【図１５】
2013052045.tif 000017
【図１６】
2013052045.tif 000018
【図１７】
2013052045.tif 000019
【図１８】
2013052045.tif 000020
【図１９】
2013052045.tif 000021
【図２０】
2013052045.tif 000022